(57)【要約】【課題】本発明は、ＧＰＳ信号に時刻同期する無線基地局であって、ＧＰＳ信号の受信適正期間外には時刻同期処理を中止する無線基地局を提供する。【解決手段】適正期間記憶部１１１は、受信適正期間を示す期間情報を回線Ｉ／Ｆ部１０７を介して本無線基地局の外部から取得し記憶する。同期時期記憶部１１２は、基準基地局１０においてＧＰＳ信号に時刻同期する既定の時期を示す情報を記憶している。制御部１１０は、当該既定の時期が到来すれば、そのときが期間情報に示される受信適正期間に含まれるか否かを判断する。含まれると判断された場合、同期実行指令部１１３はＧＰＳ同期指令を時刻同期信号生成部１０５へ発行し、ＧＰＳ信号の受信と時刻同期とを実行させる。含まれないと判断された場合、ＧＰＳ同期指令は発行されないので、時刻同期信号生成部１０５はＧＰＳ信号の受信を試みることなく、ＧＰＳ同期は中止される。【選択図】          図２
2004304341.tif 000002
【特許請求の範囲】
【請求項１】
ＧＰＳ衛星からの信号を所定時期に受信することによって現在時刻を認識し、認識された現在時刻に自局の時刻を同期させる無線基地局であって、
自局においてＧＰＳ衛星からの信号を受信する適正期間を示す期間情報を外部から取得する期間情報取得手段と、
前記所定時期が、取得された期間情報によって示される期間に含まれるか否かを判断する判断手段と、
含まれないと判断された場合、前記所定時期におけるＧＰＳ衛星からの信号を受信することなく時刻同期を中止させる時刻同期中止手段と
を備えることを特徴とする無線基地局。
【請求項２】
ＧＰＳ衛星からの信号を受信することによって認識した現在時刻に自局の時刻を同期させる無線基地局を運用する運用局であって、
前記無線基地局が設置されている位置を示す位置情報を保持している位置情報保持手段と、
ＧＰＳ衛星の軌道暦情報を外部から取得する軌道暦情報取得手段と、
前記無線基地局においてＧＰＳ衛星からの信号を受信する適正期間を示す期間情報を、保持されている位置情報と取得された軌道暦情報とから算出する期間情報算出手段と、
算出された期間情報を前記無線基地局に通知する期間情報通知手段と
を備えることを特徴とする運用局。
【請求項３】
ＧＰＳ衛星からの信号を所定時期に受信することによって現在時刻を認識し、認識された現在時刻に自局の時刻を同期させる無線基地局と、当該無線基地局を運用する運用局とから構成される無線基地局運用システムであって、
前記運用局は、
前記無線基地局が設置されている位置を示す位置情報を保持している位置情報保持手段と、
ＧＰＳ衛星の軌道暦情報を取得する軌道暦情報取得手段と、
前記無線基地局においてＧＰＳ衛星からの信号を受信する適正期間を示す期間情報を、前記位置情報と前記軌道暦情報とから算出する期間情報算出手段と、
算出された期間情報を前記無線基地局に通知する期間情報通知手段と
を備え、
前記無線基地局は、
前記運用局から前記期間情報を取得する期間情報取得手段と、
前記所定時期が、取得された期間情報によって示される期間に含まれるか否かを判断する判断手段と、
含まれないと判断された場合、前記所定時期におけるＧＰＳ衛星からの信号を受信することなく時刻同期を中止させる時刻同期中止手段と
を備える
ことを特徴とする無線基地局運用システム。
【請求項４】
ＧＰＳ衛星からの信号を所定時期に受信することによって現在時刻を認識し、認識された現在時刻に自局の時刻を同期させる無線基地局の運用方法であって、
前記無線基地局においてＧＰＳ衛星からの信号を受信する適正期間を示す期間情報を外部から取得する期間情報取得ステップと、
前記所定時期が、取得された期間情報によって示される期間に含まれるか否かを判断する判断ステップと、
含まれないと判断された場合、前記所定時期におけるＧＰＳ衛星からの信号を受信することなく時刻同期を中止させる時刻同期中止ステップと
を実行することを特徴とする運用方法。
【請求項５】
ＧＰＳ衛星からの信号を所定時期に受信することによって現在時刻を認識し、認識された現在時刻に自局の時刻を同期させる無線基地局の運用方法であって、前記無線基地局と、前記無線基地局を運用する運用局とにおいて実行され、
前記運用局において、
ＧＰＳ衛星の軌道暦情報を取得する軌道暦情報取得ステップと、
前記無線基地局においてＧＰＳ衛星からの信号を受信する適正期間を示す期間情報を、前記無線基地局が設置されている位置と前記取得した軌道暦情報とから算出する期間情報算出ステップと、
算出された期間情報を前記無線基地局に通知する期間情報通知ステップと
を実行し、
前記無線基地局において、
運用局から前記期間情報を取得する期間情報取得ステップと、
前記所定時期が、取得された期間情報によって示される期間に含まれるか否かを判断する判断ステップと、
含まれないと判断された場合、前記所定時期におけるＧＰＳ衛星からの信号を受信することなく時刻同期を中止させる時刻同期中止ステップと
を実行することを特徴とする運用方法。
【請求項６】
ＧＰＳ衛星からの信号を所定時期に受信することによって現在時刻を認識し、認識された現在時刻に自局の時刻を同期させる無線基地局を運用するためのコンピュータ実行可能なプログラムであって、
前記無線基地局においてＧＰＳ衛星からの信号を受信する適正期間を示す期間情報を受信する期間情報受信ステップと、
前記所定時期が、受信された期間情報によって示される期間に含まれるか否かを判断する判断ステップと、
含まれないと判断された場合、前記所定時期におけるＧＰＳ衛星からの信号を受信することなく時刻同期を中止させる時刻同期中止ステップと
をコンピュータに実行させることを特徴とするプログラム。
【請求項７】
ＧＰＳ衛星からの信号を所定時期に受信することによって現在時刻を認識し、認識された現在時刻に自局の時刻を同期させる無線基地局を運用するために、前記無線基地局と、前記無線基地局を運用する運用局とにおいて実行されるコンピュータ実行可能なプログラム群であって、
当該プログラム群に含まれる第１のプログラムは、
ＧＰＳ衛星の軌道暦情報を取得する軌道暦情報取得ステップと、
前記無線基地局においてＧＰＳ衛星からの信号を受信する適正期間を示す期間情報を、前記無線基地局が設置されている位置と前記取得した軌道暦情報とから算出する期間情報算出ステップと、
算出された期間情報を前記無線基地局へ送信する期間情報送信ステップと
を前記運用局におけるコンピュータに実行させ、
当該プログラム群に含まれる第２のプログラムは、
運用局から前記期間情報を受信する期間情報受信ステップと、
前記所定時期が、受信された期間情報によって示される期間に含まれるか否かを判断する判断ステップと、
含まれないと判断された場合、前記所定時期におけるＧＰＳ衛星からの信号を受信することなく時刻同期を中止させる時刻同期中止ステップと
を前記無線基地局におけるコンピュータに実行させる
ことを特徴とするプログラム群。
【発明の詳細な説明】
【０００１】
【発明の属する技術分野】
本発明はＧＰＳ（Ｇｌｏｂａｌ  Ｐｏｓｉｔｉｏｎｉｎｇ  Ｓｙｓｔｅｍ）信号を利用して時刻同期を行う無線基地局に関する。
【０００２】
【従来の技術】
従来のセル方式による移動無線通信システムは、複数の無線基地局（以下、単に基地局と言う）を用いて構成され、個々の基地局の受け持ちエリア全体で無線通信サービスを提供する。
このような移動無線通信システムは、各基地局の通信タイミングが一致していることを前提に構築される。この前提は、２つの基地局の受け持ちエリアの境界付近での通信制御処理、例えば、移動局が現に接続中の基地局の受け持ちエリアから他の基地局の受け持ちエリアへ移動する際に他の基地局との接続を確立して通信を継続させるハンドオーバー処理等、を単純化するために設けられる。
【０００３】
時分割多重アクセス方式を採る場合を例に挙げて説明すれば、当該方式では所定周期で繰り返されるフレームと呼ばれる単位時間を複数のタイムスロットに分割し、基地局は個々のタイムスロットにおいて異なる移動局と通信し、各フレームの開始時刻（以下、単に時刻と言う）を各基地局で一致させている。
従来、基地局間での時刻合わせは次のようにして行われている。基地局は、基準基地局と一般基地局とに分別される。各基準基地局はＧＰＳ衛星からＧＰＳ信号を受信することによって正しい現在時刻を認識し、認識された正しい現在時刻に自局の時刻を同期させる（以下、単にＧＰＳ同期するとも言う）。これによって、各基準基地局間の時刻が同期する。そして、一般基地局は近隣の基準基地局の時刻に自局の時刻を同期させる。このような時刻同期方法が、特許文献１に開示されている。
【０００４】
ＧＰＳ衛星からＧＰＳ信号を受信することによって、基準基地局の位置情報と共に、基準基地局の時刻の正しい現在時刻からの誤差を算出する技術は周知である。ここでは、ＧＰＳ信号からこれらの情報を算出するために、少なくとも４つのＧＰＳ衛星から受信したＧＰＳ信号が必要であることを注記する。
基準基地局は、算出された誤差をキャンセルするように自局の時刻を修正することによって自局の時刻を正しい現在時刻に同期させる。このような時刻同期処理は、所定の時期、例えば一日一回、基準基地局の時刻が所定時刻を指したときにＧＰＳ信号を受信して行うといった運用がなされる。
【０００５】
【特許文献１】
特開２０００−２３２４５号公報
【０００６】
【発明が解決しようとする課題】
しかしながら、ＧＰＳ衛星と基準基地局との位置関係によっては、所定時刻に４個以上のＧＰＳ衛星からＧＰＳ信号を受信できない場合が年間に数回存在する。そのような場合に時刻同期を実行すれば失敗して無駄に終わるのであるが、上記従来技術の無線基地局は、そのような時刻同期を無駄だと知らずに実行してしまうという問題がある。
【０００７】
上記の問題に鑑み、本発明は、４個以上のＧＰＳ衛星からのＧＰＳ信号を受信できない場合、ＧＰＳ信号を受信することなく時刻同期を中止する無線基地局を提供することを目的とする。
【０００８】
【課題を解決するための手段】
（１）上記問題を解決するため、本発明の無線基地局は、ＧＰＳ衛星からの信号を所定時期に受信することによって現在時刻を認識し、認識された現在時刻に自局の時刻を同期させる無線基地局であって、自局においてＧＰＳ衛星からの信号を受信する適正期間を示す期間情報を外部から取得する期間情報取得手段と、前記所定時期が、取得された期間情報によって示される期間に含まれるか否かを判断する判断手段と、含まれないと判断された場合、前記所定時期におけるＧＰＳ衛星からの信号を受信することなく時刻同期を中止させる時刻同期中止手段とを備える。
（２）上記問題を解決するため、本発明の運用局は、ＧＰＳ衛星からの信号を受信することによって認識した現在時刻に自局の時刻を同期させる無線基地局を運用する運用局であって、前記無線基地局が設置されている位置を示す位置情報を保持している位置情報保持手段と、ＧＰＳ衛星の軌道暦情報を外部から取得する軌道暦情報取得手段と、前記無線基地局においてＧＰＳ衛星からの信号を受信する適正期間を示す期間情報を、保持されている位置情報と取得された軌道暦情報とから算出する期間情報算出手段と、算出された期間情報を前記無線基地局に通知する期間情報通知手段とを備える。
（３）上記問題を解決するため、本発明の無線基地局運用システムは、ＧＰＳ衛星からの信号を所定時期に受信することによって現在時刻を認識し、認識された現在時刻に自局の時刻を同期させる無線基地局と、当該無線基地局を運用する運用局とから構成される無線基地局運用システムであって、前記運用局は、前記無線基地局が設置されている位置を示す位置情報を保持している位置情報保持手段と、ＧＰＳ衛星の軌道暦情報を取得する軌道暦情報取得手段と、前記無線基地局においてＧＰＳ衛星からの信号を受信する適正期間を示す期間情報を、前記位置情報と前記軌道暦情報とから算出する期間情報算出手段と、算出された期間情報を前記無線基地局に通知する期間情報通知手段とを備え、前記無線基地局は、
前記運用局から前記期間情報を取得する期間情報取得手段と、前記所定時期が、取得された期間情報によって示される期間に含まれるか否かを判断する判断手段と、含まれないと判断された場合、前記所定時期におけるＧＰＳ衛星からの信号を受信することなく時刻同期を中止させる時刻同期中止手段とを備える。
【０００９】
【発明の実施の形態】
本実施の形態における無線基地局運用システムは、無線基地局と、当該無線基地局を運用する運用局とがネットワークを介して接続されてなる。本実施の形態における基準基地局は、ＧＰＳ同期機能を有し、自局においてＧＰＳ信号を受信するのに適正な期間を運用局から知らされ、適正期間に含まれない時期には、ＧＰＳ衛星からの信号受信を試みることなく時刻同期を中止する。
（全体構成）
図１は、本実施の形態における無線基地局運用システムの全体構成を示すブロック図である。図１には、本実施の形態の無線基地局運用システムを含んで構成される移動無線通信システム１の全体を示している。また、説明の便宜上、移動無線通信システム１における基地局は、時分割多重方式を用いて移動局と通信するものとする。
【００１０】
基準基地局１０は移動局６１との通信を行うためのアンテナ１１と、ＧＰＳ衛星８０から信号を受信してＧＰＳ同期を行うためのアンテナ１２とを備える。基準基地局１０は、専用網３０を介して交換局４０と接続される。専用網３０は、本移動無線通信システムが専有する網であり、例えば、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）規格に準拠して実装される。
【００１１】
ここで、基準基地局１０（アンテナ１１及び１２を含む）、運用局７０、及びその間の通信路が、本無線基地局運用システムの範囲に含まれる。
専用網３０には、さらに一般基地局２０が接続され、一般基地局２０はアンテナ２１を介して移動局６２と通信する。一般基地局２０は基準基地局１０の時刻に自局の時刻を同期させる。
【００１２】
専用網３０は、交換局４０を介して公衆網５０と接続される。移動無線通信システム１に収容される移動局は、交換局４０を介して、他の移動無線通信システム、電話網、情報通信網等に収容される電話機や情報処理装置と通信する。
公衆網５０には、そのような電話機や情報処理装置の他に、運用局７０が接続される。運用局７０は、公衆網５０、交換局４０、及び専用網３０を経由して、基準基地局１０にＧＰＳ信号を受信するのに適正な期間を示す期間情報を供給する。
（基準基地局１０の構成）
図２は、基準基地局１０の全体構成を示す機能ブロック図である。基準基地局１０は、移動局との通信用のアンテナ１１、ＧＰＳ信号受信用のアンテナ１２、無線部１０２、変復調部１０３、時刻同期信号生成部１０５、信号処理部１０６、回線Ｉ／Ｆ部１０７、及び、制御部１１０から構成される。
【００１３】
無線部１０２は、受信信号を増幅するローノイズアンプ、及び送信信号を増幅するハイパワーアンプを用いて実現され、変復調部１０３は、変調用及び復調用のミキサ素子を用いて実現される。
時刻同期信号生成部１０５及び信号処理部１０６はＤＳＰ（Ｄｉｇｉｔａｌ  Ｓｉｇｎａｌ  Ｐｒｏｃｅｓｓｏｒ）を用いて実現され、時刻同期信号生成部１０５及び信号処理部１０６の機能は当該ＤＳＰが所定のプログラムに従って行うデジタル信号処理によって実現される。
【００１４】
回線Ｉ／Ｆ部１０７及び制御部１１０はＣＰＵ（Ｃｅｎｔｒａｌ  Ｐｒｏｃｅｓｓｉｎｇ  Ｕｎｉｔ）を用いて実現され、回線Ｉ／Ｆ部１０７及び制御部１１０の機能は当該ＣＰＵが所定のプログラムに従って実行する情報処理によって実現される。
アンテナ１１は移動局からの信号を受信し、無線部１０２は受信された信号を増幅し、変復調部１０３は増幅された信号を時分割多重信号に復調する。
【００１５】
時刻同期信号生成部１０５は、図示しない温度補償型水晶発振器からの出力信号をカウンタで分周することによって、１ＰＰＳ（Ｐｕｌｓｅ  Ｐｅｒ  Ｓｅｃｏｎｄ）のクロック信号を生成し信号処理部１０６へ供給する。信号処理部１０６は、供給されたクロック信号から割り出される各タイムスロットにおいて、前記時分割多重信号から個別の移動局の信号を取り出し、回線Ｉ／Ｆ部１０７を介して専用網３０へ送出する。
【００１６】
時刻同期信号生成部１０５は、制御部１１０からＧＰＳ同期指令が与えられると、アンテナ１２を介してＧＰＳ衛星から信号を受信することによって時刻を認識する。そして、認識された時刻が示す秒の始期に前記分周用のカウンタをリセットすることによって、当該認識された時刻に前記クロック信号を同期させる。つまり、秒以下の桁の時刻を同期させる。この動作が、前述したＧＰＳ同期に相当する。
【００１７】
また、信号処理部１０６は、個別の移動局用の信号を専用網３０から回線Ｉ／Ｆ部１０７を介して取得し、前記クロック信号によって示されるタイムスロット毎に個別の移動局用の信号を配した時分割多重信号を組み立て、変復調部１０３は当該時分割多重信号を変調し、無線部１０２は変調された時分割多重信号を増幅し、アンテナ１１から移動局へ送出する。
【００１８】
制御部１１０は、これらの動作全体を制御する。
（ＧＰＳ同期指令の詳細）
制御部１１０は、ＧＰＳ衛星から信号を受信する適正な時期にのみ、ＧＰＳ同期指令を時刻同期信号生成部１０５に発行する。このために、適正期間記憶部１１１、同期時期記憶部１１２、及び同期実行指令部１１３を備えている。
【００１９】
図３は、ＧＰＳ同期指令の発行に係る制御部１１０の動作を示すフローチャートである。
適正期間記憶部１１１は、運用局７０から供給される期間情報を回線Ｉ／Ｆ部１０７を介して取得し記憶する（Ｓ２１）。当該期間情報は、基準基地局１０においてＧＰＳ衛星から信号を受信する適正期間を示す。ここで適正期間とは、基準基地局１０において４つ以上のＧＰＳ衛星が捕捉できる期間を言う。当該期間情報は、当該適正期間の始期と終期とをそれぞれ年月日時分秒で表す。
【００２０】
同期時期記憶部１１２は、基準基地局１０においてＧＰＳ同期を行う既定の時期を示す情報を記憶している。この情報は、一日のうちの所定の時刻で表され、毎日当該時刻をＧＰＳ同期を行う既定の時期として示す。
同期実行指令部１１３は、制御部１１０が内蔵する時計が同期時期記憶部１１２に記憶されている時刻を示したときに（Ｓ２２：ＹＥＳ）、その日のその時刻が前記期間情報で示された期間に含まれるか否かを判断し、含まれる場合にのみ（Ｓ２３：ＹＥＳ）、時刻同期信号生成部１０５へＧＰＳ同期指令を発行して、ＧＰＳ同期を実行させる（Ｓ２４）。
【００２１】
含まれない場合には（Ｓ２３：ＮＯ）ＧＰＳ同期指令は発行されないので、時刻同期信号生成部１０５はＧＰＳ衛星からの信号受信を試みることなく、ＧＰＳ同期は中止される。
（運用局７０の構成と動作）
図４は、運用局７０の全体構成を示す機能ブロック図である。運用局７０は、軌道暦情報取得部７１、位置情報記憶部７２、期間情報算出部７３、及び回線Ｉ／Ｆ部７４から構成される。
【００２２】
図５は、期間情報の算出及び通知に係る運用局７０の動作を示すフローチャートである。
軌道暦情報取得部７１は、時刻と所在位置との対応を各ＧＰＳ衛星について示す軌道暦情報を外部から取得する（Ｓ１１）。軌道暦情報は、米国国防総省から公開されている。
【００２３】
位置情報記憶部７２は、基準基地局１０の所在位置を示す基準基地局位置情報を記憶している。
期間情報算出部７３は、前記軌道暦情報と前記基準基地局位置情報とを参照して（Ｓ１２）、基準基地局１０における水平面とＧＰＳ衛星とがなす仰角を各ＧＰＳ衛星について算出し、所定の閾値よりも大きな仰角が算出されたＧＰＳ衛星を捕捉可能と判断する。そして、４つ以上のＧＰＳ衛星を捕捉可能と判断される期間の始期と終期とを秒単位で示す期間情報を算出する（Ｓ１３）。
【００２４】
回線Ｉ／Ｆ部７４は、当該算出された期間情報を公衆網５０を介して基準基地局１０へ送信する（Ｓ１４）。
（まとめ）
以上説明したように、本実施の形態の無線基地局及び運用局を含んで構成される運用システムによれば、運用局は、無線基地局においてＧＰＳ衛星からの信号を受信する適正期間を示す期間情報を算出し、算出された期間情報を当該無線基地局に通知し、当該無線基地局は、ＧＰＳ同期を行う既定の時期が、当該通知された期間情報によって示される期間に含まれない場合には、ＧＰＳ衛星からの信号受信を試みることなくＧＰＳ同期を中止する。
【００２５】
これにより、従来技術の無線基地局が行っていた無駄なＧＰＳ同期を行わないので、そのようなＧＰＳ同期に要していた電力や、ＤＳＰの処理能力を節減することができる。
（その他の変形例）
なお、本発明を上記の実施の形態に基づいて説明してきたが、本発明は、上記の実施の形態に限定されないのはもちろんである。以下のような場合も本発明に含まれる。
（１）本発明は、実施の形態で説明したステップを含む方法を、コンピュータシステムを用いて実現するためのコンピュータプログラムであるとしてもよいし、前記プログラムを表すデジタル信号であるとしてもよい。
【００２６】
また、本発明は、前記プログラム又は前記デジタル信号を記録したコンピュータ読取り可能な記録媒体、例えば、フレキシブルディスク、ハードディスク、ＣＤ、ＭＯ、ＤＶＤ、半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００２７】
また、本発明は、マイクロプロセッサ及びメモリを備えたコンピュータシステムであり、前記メモリは前記プログラムを記憶しており、前記マイクロプロセッサは前記メモリに記憶されている前記プログラムに従って動作することにより、前記方法を実現するとしてもよい。
また、前記プログラム又は前記デジタル信号は、前記記録媒体に記録されて移送され、若しくは、前記ネットワーク等を経由して移送され、独立した他のコンピュータシステムにおいて実施されるとしてもよい。
（２）運用局７０は、基準基地局１０におけるＧＰＳアンテナから所定方角の所定仰角方向にＧＰＳ信号の受信を妨げる建造物等が存在する場合、基準基地局１０に対する位置が、当該方角の当該仰角方向にあたると算出されたＧＰＳ衛星を捕捉不可能と判断してもよい。
（３）基準基地局１０は、ＧＰＳ同期を行う既定の時期を、一定時間毎、例えば１８時間毎などとしてもよい。この場合も、既定の同期時期が到来した場合にその時期が期間情報に含まれていなければ、ＧＰＳ同期を中止することができる。
（４）実施の形態では、基準基地局１０が行うＧＰＳ同期とは、ＧＰＳ信号から認識された時刻の秒の始期に、温度補償型水晶発振器からの信号を分周するカウンタをリセットすることであって、このことをクロック信号の秒以下の桁を同期させると表現したが、このことをクロック信号の位相を同期させると言い換えても同義である。
【００２８】
すなわち、所定時期にＧＰＳ衛星からの信号を受信することによって時刻を認識し、認識された時刻に自局のクロック信号の位相を同期させる無線基地局であって、外部から知らされる適正期間外には当該クロック信号の位相同期を中止する中止手段を備えた無線基地局もまた、本発明に含まれる。
（５）実施の形態では、理解の便宜上、時分割多重アクセス方式におけるタイムスロットのタイミング管理を、ＧＰＳ同期されたクロック信号によって行う具体例を示したが、本発明は、時分割多重アクセス方式を採る移動無線通信システムに限定されない。
【００２９】
すなわち、ＧＰＳ同期されたクロック信号によって通信タイミングを管理する基地局であって、当該クロック信号のＧＰＳ同期を外部から知らされる適正期間外には中止する無線基地局は、全て、本発明に含まれる。
（６）実施の形態では、運用局７０は公衆網５０に接続され、期間情報を公衆網、交換局４０、及び専用網３０を介して基準基地局１０へ供給するとしたが、別法として、運用局７０が専用網３０に接続され、期間情報を専用網３０を介して基準基地局１０へ供給するとしてもよい。
【００３０】
【発明の効果】
本発明の無線基地局は、ＧＰＳ衛星からの信号を所定時期に受信することによって現在時刻を認識し、認識された現在時刻に自局の時刻を同期させる無線基地局であって、自局においてＧＰＳ衛星からの信号を受信する適正期間を示す期間情報を外部から取得する期間情報取得手段と、前記所定時期が、取得された期間情報によって示される期間に含まれるか否かを判断する判断手段と、含まれないと判断された場合、前記所定時期におけるＧＰＳ衛星からの信号を受信することなく時刻同期を中止させる時刻同期中止手段とを備える。
【００３１】
この構成によれば、本無線基地局は、ＧＰＳ同期を行う所定の時期が、外部から通知された期間情報によって示される適正期間に含まれない場合には、ＧＰＳ衛星からの信号受信を試みることなくＧＰＳ同期を中止するので、無駄なＧＰＳ同期を行うことがない。
本発明の運用局は、ＧＰＳ衛星からの信号を受信することによって認識した現在時刻に自局の時刻を同期させる無線基地局を運用する運用局であって、前記無線基地局が設置されている位置を示す位置情報を保持している位置情報保持手段と、ＧＰＳ衛星の軌道暦情報を外部から取得する軌道暦情報取得手段と、前記無線基地局においてＧＰＳ衛星からの信号を受信する適正期間を示す期間情報を、保持されている位置情報と取得された軌道暦情報とから算出する期間情報算出手段と、算出された期間情報を前記無線基地局に通知する期間情報通知手段とを備える。
【００３２】
この構成によれば、本運用局は、運用対象となる無線基地局に、ＧＰＳ同期を行う適正期間を通知することができる。
本発明の無線基地局運用システムは、ＧＰＳ衛星からの信号を所定時期に受信することによって現在時刻を認識し、認識された現在時刻に自局の時刻を同期させる無線基地局と、当該無線基地局を運用する運用局とから構成される無線基地局運用システムであって、前記運用局は、前記無線基地局が設置されている位置を示す位置情報を保持している位置情報保持手段と、ＧＰＳ衛星の軌道暦情報を取得する軌道暦情報取得手段と、前記無線基地局においてＧＰＳ衛星からの信号を受信する適正期間を示す期間情報を、前記位置情報と前記軌道暦情報とから算出する期間情報算出手段と、算出された期間情報を前記無線基地局に通知する期間情報通知手段とを備え、前記無線基地局は、前記運用局から前記期間情報を取得する期間情報取得手段と、前記所定時期が、取得された期間情報によって示される期間に含まれるか否かを判断する判断手段と、含まれないと判断された場合、前記所定時期におけるＧＰＳ衛星からの信号を受信することなく時刻同期を中止させる時刻同期中止手段とを備える。
【００３３】
この構成によれば、本無線基地局運用システムに含まれる運用局は、無線基地局に、ＧＰＳ同期を行う適正期間を通知し、当該無線基地局は、ＧＰＳ同期を行う所定の時期が、当該運用局から通知された期間情報によって示される適正期間に含まれない場合には、ＧＰＳ衛星からの信号受信を試みることなくＧＰＳ同期を中止するので、無駄なＧＰＳ同期を行うことがない。
【００３４】
本発明の運用方法は、ＧＰＳ衛星からの信号を所定時期に受信することによって現在時刻を認識し、認識された現在時刻に自局の時刻を同期させる無線基地局の運用方法であって、前記無線基地局においてＧＰＳ衛星からの信号を受信する適正期間を示す期間情報を外部から取得する期間情報取得ステップと、前記所定時期が、取得された期間情報によって示される期間に含まれるか否かを判断する判断ステップと、含まれないと判断された場合、前記所定時期におけるＧＰＳ衛星からの信号を受信することなく時刻同期を中止させる時刻同期中止ステップとを実行する。
【００３５】
本発明の運用方法は、ＧＰＳ衛星からの信号を所定時期に受信することによって現在時刻を認識し、認識された現在時刻に自局の時刻を同期させる無線基地局の運用方法であって、前記無線基地局と、前記無線基地局を運用する運用局とにおいて実行され、前記運用局において、ＧＰＳ衛星の軌道暦情報を取得する軌道暦情報取得ステップと、前記無線基地局においてＧＰＳ衛星からの信号を受信する適正期間を示す期間情報を、前記無線基地局が設置されている位置と前記取得した軌道暦情報とから算出する期間情報算出ステップと、算出された期間情報を前記無線基地局に通知する期間情報通知ステップとを実行し、前記無線基地局において、運用局から前記期間情報を取得する期間情報取得ステップと、前記所定時期が、取得された期間情報によって示される期間に含まれるか否かを判断する判断ステップと、含まれないと判断された場合、前記所定時期におけるＧＰＳ衛星からの信号を受信することなく時刻同期を中止させる時刻同期中止ステップとを実行する。
【００３６】
これらの方法によって無線基地局を運用すれば、前述した効果と同様の効果が発揮される。
本発明のプログラムは、ＧＰＳ衛星からの信号を所定時期に受信することによって現在時刻を認識し、認識された現在時刻に自局の時刻を同期させる無線基地局を運用するためのコンピュータ実行可能なプログラムであって、前記無線基地局においてＧＰＳ衛星からの信号を受信する適正期間を示す期間情報を受信する期間情報受信ステップと、前記所定時期が、受信された期間情報によって示される期間に含まれるか否かを判断する判断ステップと、含まれないと判断された場合、前記所定時期におけるＧＰＳ衛星からの信号を受信することなく時刻同期を中止させる時刻同期中止ステップとをコンピュータに実行させる。
【００３７】
本発明のプログラムは、ＧＰＳ衛星からの信号を所定時期に受信することによって現在時刻を認識し、認識された現在時刻に自局の時刻を同期させる無線基地局を運用するために、前記無線基地局と、前記無線基地局を運用する運用局とにおいて実行されるコンピュータ実行可能なプログラム群であって、当該プログラム群に含まれる第１のプログラムは、ＧＰＳ衛星の軌道暦情報を取得する軌道暦情報取得ステップと、前記無線基地局においてＧＰＳ衛星からの信号を受信する適正期間を示す期間情報を、前記無線基地局が設置されている位置と前記取得した軌道暦情報とから算出する期間情報算出ステップと、算出された期間情報を前記無線基地局へ送信する期間情報送信ステップとを前記運用局におけるコンピュータに実行させ、当該プログラム群に含まれる第２のプログラムは、運用局から前記期間情報を受信する期間情報受信ステップと、前記所定時期が、受信された期間情報によって示される期間に含まれるか否かを判断する判断ステップと、含まれないと判断された場合、前記所定時期におけるＧＰＳ衛星からの信号を受信することなく時刻同期を中止させる時刻同期中止ステップとを前記無線基地局におけるコンピュータに実行させる。
【００３８】
これらのプログラムを実行することによって無線基地局を運用すれば、前述した効果と同様の効果が発揮される。
【図面の簡単な説明】
【図１】本実施の形態における無線基地局運用システムの全体構成を示すブロック図である。
【図２】基準基地局１０の全体構成を示す機能ブロック図である。
【図３】ＧＰＳ同期指令の発行に係る制御部１１０の動作を示すフローチャートである。
【図４】運用局７０の全体構成を示す機能ブロック図である。
【図５】期間情報の算出及び通知に係る運用局７０の動作を示すフローチャートである。
【符号の説明】
１    移動無線通信システム
１０    基準基地局
１１    アンテナ
１２    アンテナ
２０    一般基地局
２１    アンテナ
３０    専用網
４０    交換局
５０    公衆網
６１    移動局
６２    移動局
７０    運用局
７１    軌道暦情報取得部
７２    位置情報記憶部
７３    期間情報算出部
７４    回線Ｉ／Ｆ部
８０    ＧＰＳ衛星
１０２    無線部
１０３    変復調部
１０５    時刻同期信号生成部
１０６    信号処理部
１０７    回線Ｉ／Ｆ部
１１０    制御部
１１１    適正期間記憶部
１１２    同期時期記憶部
１１３    同期実行指令部
【図１】
2004304341.tif 000003
【図２】
2004304341.tif 000004
【図３】
2004304341.tif 000005
【図４】
2004304341.tif 000006
【図５】
2004304341.tif 000007